(57)【要約】【課題】  成形後の底壁の中央下面に肉溜まりが形成されるキャップにおいて、底壁に、内容液を細く安定して注出することができるとともに、注出方向を気にせずに注出できる注出口を形成したキャップを提供すること。【解決手段】  外筒と、上壁と、上壁の内周に連設された注出筒と、注出筒の下端に連設された底壁とを具えたキャップ本体と、開閉蓋とからなる注出キャップであって、底壁には、下面から刻設された切断溝を介して除去部が形成され、除去部上面には、支柱を介して指かけリングが設けられ、除去部は、底壁中央部の小径の中央孔部と、中央孔部の両側から左右に細く延びる横方孔部と、中央孔部の後側から細く延びる細巾孔部と、細巾孔部に先端に連設され、上面に支柱を連設される支柱孔部とを具えていることを特徴とする。【選択図】  図１
2008184192.tif 000002
【特許請求の範囲】
【請求項１】
外筒と、上壁と、上壁の内周に連設された注出筒と、注出筒の下端に連設された底壁とを具えたキャップ本体と、開閉蓋とからなる注出キャップであって、
底壁には、下面から刻設された切断溝を介して除去部が形成され、除去部上面には、支柱を介して指かけリングが設けられ、
除去部は、底壁中央部の小径の中央孔部と、中央孔部の両側から左右に細く延びる横方孔部と、中央孔部の後側から細く延びる細巾孔部と、細巾孔部に先端に連設され、上面に支柱を連設される支柱孔部とを具えていることを特徴とする注出キャップ。
【請求項２】
キャップ本体の底壁から除去部を切り離して、底壁に、内容液を細巾に注出する中央注出口部と、横方注出口部と、細巾口部と、後口部とからなる注出孔が形成されることを特徴とする請求項１記載の注出キャップ。
【請求項３】
除去部の中央孔部の前側に、前方孔部を設けたことを特徴とする請求項１記載の注出キャップ。
【請求項４】
キャップ本体の底壁から除去部を切り離して、底壁に、中央注出口部と、内容液を細巾に注出する前方注出口部と、横方注出口部と、細巾口部と、後口部とからなる注出孔が形成されることを特徴とする請求項３記載の注出キャップ。
【発明の詳細な説明】
【技術分野】
【０００１】
本発明は、容器の注出口、とくに切断溝を切断して内容液を極細に注出する注出口の形状に関するものである。
【背景技術】
【０００２】
醤油などの食用液を収納する容器の口筒部に装着するキャップ本体と開閉蓋とからなる合成樹脂製のキャップであって、キャップ本体の注出筒の下部に設けた底壁に切断溝を介して除去部を設け、除去部を取り除くことで注出口を開口するキャップにおいて、注出口の横幅を細くするように除去部を形成し、切断溝を切断して、注出口から内容液を細くして注出するとともに、内容液の注出に際して容器を傾けすぎた場合でも、内容液の流出量が急激に増加することを防ぐようにしたキャップは、従来より知られている（例えば、特許文献１）。
【０００３】
また、キャップを合成樹脂で射出成形により製造する際、金型のゲートから射出される合成樹脂を金型内全体に注入し易くするため、キャップ本体の中心となる底壁上部にゲートが位置するようにするとともに、底壁下面を形成する金型のゲートに対応する位置に凹部を設け、合成樹脂が金型全体に広がり易くして成形することは一般的に行われている。
この場合には、成形後のキャップ本体の底壁の中央下面には、肉溜まりが形成される。
【特許文献１】実開昭５９−１８１０５６号公報
【発明の開示】
【発明が解決しようとする課題】
【０００４】
しかしながら、特許文献１のキャップでは、底壁の中央にゲートを設けると、底壁に設けた細幅の除去部の中心下面に肉溜まりが形成されるため、内容液を極細（横幅が２．５ｍｍ以下）に注出する注出口を形成する除去部を成形すると、肉溜まりが邪魔となり、注出口の横幅を極細のものにすることはできなかった。
【０００５】
また、極細の注出口を形成するため、注出口の縦方向には注出できるが、注出口の横方向に対しては、注出口の巾が狭すぎて注出しようとすると内容液と空気の置換がうまくいかず注出できないという問題があった。
【０００６】
本発明は、上記の問題を解決することを課題とし、成形後の底壁の中央下面に肉溜まりが形成されるキャップにおいて、底壁に、内容液を細く安定して注出することができるとともに、注出方向を気にせずに注出できる注出口を形成したキャップを提供することを目的とする。
【課題を解決するための手段】
【０００７】
本発明は、上記の課題を解決するため、注出キャップとして、外筒と、上壁と、上壁の内周に連設された注出筒と、注出筒の下端に連設された底壁とを具えたキャップ本体と、開閉蓋とからなる注出キャップであって、底壁には、下面から刻設された切断溝を介して除去部が形成され、除去部上面には、支柱を介して指かけリングが設けられ、除去部は、底壁中央部の小径の中央孔部と、中央孔部の両側から左右に細く延びる横方孔部と、中央孔部の後側から細く延びる細巾孔部と、細巾孔部に先端に連設され、上面に支柱を連設される支柱孔部とを具えていることを特徴とする構成を採用する。
【０００８】
注出孔の実施例として、キャップ本体の底壁から除去部を切り離して、底壁に、内容液を細巾に注出する中央注出口部と、横方注出口部と、細巾口部と、後口部とからなる注出孔が形成されることを特徴とする構成を採用する。
【０００９】
除去部の別実施例として、除去部の中央孔部の前側に、前方孔部を設けたことを特徴とする構成を採用する。
また、注出孔の別実施例として、キャップ本体の底壁から除去部を切り離して、底壁に、中央注出口部と、内容液を細巾に注出する前方注出口部と、横方注出口部と、細巾口部と、後口部とからなる注出孔が形成されることを特徴とする構成を採用する。
【発明の効果】
【００１０】
注出キャップにおいて、キャップ本体の底壁に、下面から刻設された切断溝を介して形成され、上面に支柱を介して指かけリングを設けた除去部に、小径の中央孔部を設け、キャップ成形時に、形成される肉溜まりを、除去部の中央孔部の下面に設けるようにすることことで、底壁から除去部を取り除いた後に、内容液を極細に注出する注出孔を形成することができる。
【００１１】
また、除去部に、中央孔部の他に横方孔部、支柱孔部、および前方孔部を設けたので、除去部を切り離した後に、容器を縦方向の他に横方向に傾けても、内容液を注出することができる。
中央孔部と支柱孔部との間に細巾孔部を設けたので、除去部を切り離した後に、注出孔の中央注出口部と後口部との間に細巾口部を形成することができ、内容液の注出に際して容器を傾けすぎた場合でも、内容液の流出量が急激に増加することを防ぐことができる。
【発明を実施するための最良の形態】
【００１２】
次に、本発明のキャップについて、実施例をあげ、図面を参照して説明する。
【実施例１】
【００１３】
図１において、Ａは容器の口筒部に取着されるキャップである。
キャップＡは、合成樹脂により射出成形され、キャップ本体Ａ１と、キャップ本体Ａ１の上端部にヒンジＡ２を介して連設され、閉蓋時にキャップＡ内を密閉する開閉蓋Ａ３とからなっている。
【００１４】
キャップ本体Ａ１は、容器の口筒部外周に嵌合する外筒１と、外筒１の上端に設けられたリング状の上壁２とを具えており、上壁２の内周には、上方に拡径した注出筒３が連設され、注出筒３の下端には、注出口が開口される底壁４が連設されている。
【００１５】
キャップＡは、射出成形の際、金型のゲートから射出される合成樹脂を金型内全体に注入し易くするため、キャップ本体Ａ１の中心となる底壁４上部にゲートを設けるようにするとともに、合成樹脂が広がり易くするため、底壁４下面を形成する金型のゲートに対応する位置に凹部が設けられ、成形後の底壁４の中央下面には、肉溜まり５が形成される。
【００１６】
底壁４には、図１、２に示すように、下面から刻設された切断溝６を介して除去部７が形成され、除去部７上面のヒンジＡ２側には、支柱８を介して指かけリング９が設けられている。
また、底壁４には、除去部７を切り離すことによって、内容液を注出する注出孔１０が形成される。
【００１７】
除去部７には、中央に、下面に肉溜まり５が収まるように形成される中央孔部７ａと、中央孔部７ａの両側から左右に細く延びる横方孔部７ｂと、中央孔部７ａのヒンジＡ２側から細く延びる細巾孔部７ｃと、細巾孔部７ｃのヒンジＡ２側端に連設され、上面に支柱８を連設するように支柱８の下端面の形状に形成される支柱孔部７ｄとを具えている。
【００１８】
除去部７の形状にともない、注出孔１０には、図２（ｂ）に示すように、中央注出口部１０ａと、左右の横方注出口部１０ｂと、細巾口部１０ｃと、後口部１０ｄとが形成される。
【００１９】
次に、本実施例の容器の使用態様と作用効果について説明する。
容器の使用にあたっては、まず、キャップＡの開閉蓋Ａ３を開蓋し、キャップ本体Ａ１の注出筒３内の指かけリング９に指をかけて上方に引張り上げ、底壁４より除去部７を切り離し、注出孔１０を開口する。
【００２０】
内容液の注出にあたって、容器をヒンジＡ２側の反対方向に徐々に傾けると、一定の角度で、キャップ本体Ａ１の注出孔１０の中央注出口部１０ａの周縁の前側端部から注出筒３内周に内容液を注出させることができ、その流れは、注出筒３の尖端部に案内され、円滑に流れ出るようになっている。
その際、中央注出口部１０ａ以外の注出孔１０が空気孔として作用し、内容液を安定して注出することができる。
【００２１】
さらに、容器の傾きを大きくすることにより、内容液が中央注出口部１０ａの他に、両側の横方注出口部１０ｂからも注出され、流出量を増やして注出することができる。
また、容器の傾きを大きくしすぎても、中央注出口部１０ａのヒンジＡ２側が細巾口部１０ｃであるので、流れがしぼられ、流出量が大量に注出されることを防止することができる。
その際には、後口部１０ｄが空気孔として作用し、内容液を安定して注出することができる。
【００２２】
内容液の注出にあたって、容器をヒンジＡ２側に対して横方向のいずれかに傾けると、一定の角度で、キャップ本体Ａ１の注出孔１０のいずれかの横方注出口部１０ｂの先端部から注出筒３内周に内容液が注出され、円滑に流れ出るようになっている。
その際、いずれかの横方注出口部１０ｂ以外が空気孔として作用し、内容液を安定して注出することができる。
【００２３】
本発明のキャップは、内容液を注出するにあたり、従来の前方向の他に、横方向にも容器を傾けることで、内容液を、キャップの底壁の注出孔から安定して注出することができる。
【００２４】
また、キャップの成形の際、底壁４の中央下面に肉溜まり５が形成されるが、除去部７の中央孔部７ａの下面に収められるので、肉溜まり５を配した中央孔部７ａの形に関係なく、除去部７の横方孔部７ｂおよび細巾孔部７ｃを細巾で形成することができる。
横方孔部７ｂを中央孔部７ａに比べ、細巾で形成することで、容器を前方側に傾けた時には、内容液を細巾で注出でき、容器を横方向に傾けた時には、内容液を極細巾で注出できるようにし、容器の傾け方向により、内容液の注出形状を適宜選択できる。
【００２５】
さらに、左右の横方孔部７ｂの互いの横巾を変えて形成することにより、容器を傾ける方向により、内容液の注出形状を適宜選択できる数を、前方側と、右方側と、左方側との三方向に増やすことができる。
【実施例２】
【００２６】
次に、第１実施例のキャップＡの底壁４を変形した実施例について説明する。
除去部７の横方孔部７ｂを、第１実施例では、中央孔部７ａの両側に設けたが、本実施例では、図３（ａ）に示すように、中央孔部７ａの両側より細巾孔部７ｃ側にずらして形成する。
【００２７】
横方孔部７ｂをずらして形成したことで、除去部７を除去した後、容器を前方向に傾けて内容液を注出するにあたり、注出孔１０の中央注出口部１０ａのみから注出できる角度を大きくすることができる。
【００２８】
さらに、変形別実施例として、図３（ｂ）に示すように、除去部７の中央孔部７ａの前側に前方孔部７ｅを形成して、除去部７を除去した後、中央注出口部１０ａの前側に前方注出口部１０ｅを形成する。
【００２９】
前方注出口部１０ｅにより、内容液を注出するにあたり、内容液の横巾を中央注出口部１０ａに比べ、より細くすることができ、また、内容液の粘度によっては、中央注出口部１０ａの周縁の前側端部に比べ、内容液を安定させて注出することができる。
その他の作用効果は、実施例１と同じである。
【００３０】
また、図３（ｃ）に示すように、横方孔部７ｂ、前方孔部７ｅの底壁中央からの長さをさらに長くすることもできる。
その場合には、容器を大きく傾けなくても、内容液の注出を最後まで容易にできる。
【００３１】
上記各実施例では、キャップの形態をヒンジキャップとしたが、本発明はキャップの注出部に関する発明であり、別にヒンジを使用せず、キャップ本体に別体の開閉蓋を直接装着するキャップや、キャップ本体の係合筒と開閉蓋の側壁に互いに螺合するねじを配し、ねじ式の開閉キャップなどのキャップ形態としてもよい。
キャップの開閉方法に関するキャップ自体の形状は、上記実施形態の形態に限定されない。
【００３２】
また、ヒンジキャップであれば、ヒンジが邪魔になり、容器を後ろ方向に傾けて注出するということはないが、その他のキャップの注出であれば、容器を後ろ方向に傾け、一定の角度でキャップ本体Ａ１の注出孔１０の後口部１０ｄより内容液を注出させ、注出筒３の尖端部から円滑に流れ出るようにすることができる。
その際、後口部１０ｄ以外の注出孔１０が空気孔として作用し、内容液を安定して注出することができる。
【産業上の利用可能性】
【００３３】
キャップ本体の底壁の除去部を切り離すことによって、容器を前方向にも横方向にも傾けて内容液を注出でき、また、注出する内容液の横巾も適宜選択できるキャップを、生産性よく成形することができる。
本容器は、醤油などの食用液を収納する容器だけでなく、医薬品や化粧料などの液体物の容器にも幅広く利用できる。
【図面の簡単な説明】
【００３４】
【図１】本発明の第１実施例のキャップの説明図で、（ａ）は上面図、（ｂ）は断面立面図である。
【図２】キャップ本体の底壁の説明図で、（ａ）は下面図、（ｂ）は除去部切り離し後の下面図である。
【図３】本発明の第２実施例のキャップ本体のいろいろな底壁の説明図で、（ａ）、（ｂ）、（ｃ）は下面図である。
【符号の説明】
【００３５】
Ａ          キャップ
Ａ１        キャップ本体
Ａ２        ヒンジ
Ａ３        開閉蓋
１          外筒
２          上壁
３          注出筒
４          底壁
５          肉溜まり
６          切断溝
７          除去部
７ａ        中央孔部
７ｂ        横方孔部
７ｃ        細巾孔部
７ｄ        支柱孔部
７ｅ        前方孔部
８          支柱
９          指かけリング
１０        注出孔
１０ａ      中央注出口部
１０ｂ      横方注出口部
１０ｃ      細巾口部
１０ｄ      後口部
１０ｅ      前方注出口部
【図１】
2008184192.tif 000003
【図２】
2008184192.tif 000004
【図３】
2008184192.tif 000005